【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
アンテナ（３００、５００、６００、７００、８００、９００、１００１、１００２）であって、
少なくとも１つの電磁レンズ（３０２、４０２、５０２、６０１、７０１、８０１、９０１、１００６、１０１３）と、
上記レンズ（３０２、４０２、５０２、６０１、７０１、８０１、９０１、１００６、１０１３）に接続された少なくとも１つの接地平面（３０１、４０１、５０１、６０４、７０２、８０３、９０３、１００７、１０１４）と、
上記レンズ（３０２、４０２、５０２、６０１、７０１、８０１、９０１、１００６、１０１３）に接続された少なくとも１つのプローブ構造体とを有し、上記プローブ構造体が、少なくとも２つのプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）を有し、
上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）は、レンズ（３０２、４０２、５０２、６０１、７０１、８０１、９０１、１００６、１０１３）によって取り囲まれており、
少なくとも２つの上記プローブの互いの向きが、少なくとも部分的に、互いの電磁視界ラインの外側にプローブが配置されるような、向きになっており、電磁視界ラインは、プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）が電磁的な観点からお互いが見えないように、妨害される、アンテナ（３００、５００、６００、７００、８００、９００、１００１、１００２）。
【請求項２】
少なくとも１つのプローブによって送信される電磁放射を、少なくとも１つの他のプローブから遠ざけるように反射する少なくとも１つの反射要素（３０５ａ、３０５ｂ、３０５ｃ、３０５ｄ、４０５ａ、４０５ｂ、４０５ｃ、４０５ｄ、４０６）が上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）の間に配置されている、請求項１に記載のアンテナ（３００、５００、６００、７００、８００、９００、１００１、１００２）。
【請求項３】
少なくとも１つの上記反射要素（３０５ａ、３０５ｂ、３０５ｃ、３０５ｄ、４０５ａ、４０５ｂ、４０５ｃ、４０５ｄ、４０６）が、少なくとも１つの上記反射要素（３０５ａ、３０５ｂ、３０５ｃ、３０５ｄ、４０５ａ、４０５ｂ、４０５ｃ、４０５ｄ、４０６）によって上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）の間の直線が妨害されるような位置に配置されている、請求項２に記載のアンテナ（３００、５００、６００、７００、８００、９００、１００１、１００２）。
【請求項４】
少なくとも１つの上記反射要素（３０５ａ、３０５ｂ、３０５ｃ、３０５ｄ、４０５ａ、４０５ｂ、４０５ｃ、４０５ｄ、４０６）が、上記レンズ（３０２、４０２、５０２、６０１、７０１、８０１、９０１、１００６、１０１３）の周囲壁（３０５、４０５）によって形成されている、請求項２または３に記載のアンテナ（３００、５００、６００、７００、８００、９００、１００１、１００２）。
【請求項５】
上記レンズ（３０２、４０２、５０２、６０１、７０１、８０１、９０１、１００６、１０１３）の周囲壁（３０５、４０５）の少なくとも一部分が、凹形状を有する、請求項４に記載のアンテナ（３００、５００、６００、７００、８００、９００、１００１、１００２）。
【請求項６】
周囲壁（３０５、４０５）の少なくとも一部分が、波形形状である、請求項４または５に記載のアンテナ（３００、５００、６００、７００、８００、９００、１００１、１００２）。
【請求項７】
少なくとも１つのアンテナプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）が、上記レンズ（３０２、４０２、５０２、６０１、７０１、８０１、９０１、１００６、１０１３）の鋭利な先端またはそれの近傍に位置する、請求項１ないし６のいずれか１項に記載のアンテナ（３００、５００、６００、７００、８００、９００、１００１、１００２）。
【請求項８】
上記プローブ構造体が、電磁放射を受信するように構成されている、請求項１ないし７のいずれか１項に記載のアンテナ（３００、５００、６００、７００、８００、９００、１００１、１００２）。
【請求項９】
上記プローブ構造体が、電磁放射を送信するように構成されている、請求項１ないし８のいずれか１項に記載のアンテナ（３００、５００、６００、７００、８００、９００、１００１、１００２）。
【請求項１０】
少なくとも２つの上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）の形状が互いに異なっている、請求項１ないし９のいずれか１項に記載のアンテナ（３００、５００、６００、７００、８００、９００、１００１、１００２）。
【請求項１１】
少なくとも１つの上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）が、５ＧＨｚ周波数帯域で動作するように構成され、上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）の長さが４ないし８ｍｍである、請求項１ないし１０のいずれか１項に記載のアンテナ（３００、５００、６００、７００、８００、９００、１００１、１００２）。
【請求項１２】
少なくとも１つの上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）が、２．４ＧＨｚ周波数帯域で動作するように構成され、上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）の長さが１０ないし１８ｍｍである、請求項１ないし１１のいずれか１項に記載のアンテナ（３００、５００、６００、７００、８００、９００、１００１、１００２）。
【請求項１３】
少なくとも１つの上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）の直径が１ないし３ｍｍである、請求項１ないし１２のいずれか１項に記載のアンテナ（３００、５００、６００、７００、８００、９００、１００１、１００２）。
【請求項１４】
上記レンズ（３０２、４０２、５０２、６０１、７０１、８０１、９０１、１００６、１０１３）に、上記プローブ構造体の上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）を収容する少なくとも１つの収容空間（３０３、４０３）が設けられている、請求項１ないし１３のいずれか１項に記載のアンテナ（３００、５００、６００、７００、８００、９００、１００１、１００２）。
【請求項１５】
上記接地平面（３０１、４０１、５０１、６０４、７０２、８０３、９０３、１００７、１０１４）に、上記プローブ構造体の上記プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）を収容する少なくとも１つの収容空間（３０３、４０３）が設けられている、請求項１ないし１４のいずれか１項に記載のアンテナ（３００、５００、６００、７００、８００、９００、１００１、１００２）。
【請求項１６】
複数の収容空間（３０３ａ、３０３ｂ、４０３ａ、４０３ｂ、５０３ａ、５０３ｂ、５０３ｃ、５０３ｄ、５０３ｅ）を備え、各収容空間（３０３ａ、３０３ｂ、４０３ａ、４０３ｂ、５０３ａ、５０３ｂ、５０３ｃ、５０３ｄ、５０３ｅ）は、単一のプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）を収容するように構成されている、請求項１ないし１５のいずれか１項に記載のアンテナ（３００、５００、６００、７００、８００、９００、１００１、１００２）。
【請求項１７】
複数の収容空間（３０３ａ、３０３ｂ、４０３ａ、４０３ｂ、５０３ａ、５０３ｂ、５０３ｃ、５０３ｄ、５０３ｅ）のうちの少なくとも２つのものの互いの向きが、互いの電磁視界ラインの外側に収容空間（３０３ａ、３０３ｂ、４０３ａ、４０３ｂ、５０３ａ、５０３ｂ、５０３ｃ、５０３ｄ、５０３ｅ）が配置されるような、向きになっている、請求項１６に記載のアンテナ（３００、５００、６００、７００、８００、９００、１００１、１００２）。
【請求項１８】
上記レンズ（３０２、４０２、５０２、６０１、７０１、８０１、９０１、１００６、１０１３）の高さが５ｃｍに等しいまたはそれより小さい、請求項１ないし１７のいずれか１項に記載のアンテナ（３００、５００、６００、７００、８００、９００、１００１、１００２）。
【請求項１９】
上記レンズ（３０２、４０２、５０２、６０１、７０１、８０１、９０１、１００６、１０１３）が、少なくとも部分的に、誘電体で出来ている、請求項１ないし１８のいずれか１項に記載のアンテナ（３００、５００、６００、７００、８００、９００、１００１、１００２）。
【請求項２０】
上記レンズ（３０２、４０２、５０２、６０１、７０１、８０１、９０１、１００６、１０１３）が、少なくとも部分的に、少なくとも１つのセラミックから出来ている、請求項１９に記載のアンテナ（３００、５００、６００、７００、８００、９００、１００１、１００２）。
【請求項２１】
上記レンズ（３０２、４０２、５０２、６０１、７０１、８０１、９０１、１００６、１０１３）が、ガラス、水晶、および／または少なくとも１つのポリマー、特にポリ塩化ビニル（ＰＶＣ）から少なくとも部分的に出来ている、請求項１９または２０に記載のアンテナ（３００、５００、６００、７００、８００、９００、１００１、１００２）。
【請求項２２】
上記レンズ（３０２、４０２、５０２、６０１、７０１、８０１、９０１、１００６、１０１３）が、
流体、好ましくは空気または脱塩水、で少なくとも部分的に満たされた少なくとも１つの内部空間を取り囲む、少なくとも１つのガラス、水晶、および／または少なくとも１つのポリマーから、少なくとも部分的に出来ているシェルを有している、請求項２１に記載のアンテナ（３００、５００、６００、７００、８００、９００、１００１、１００２）。
【請求項２３】
上記レンズ（３０２、４０２、５０２、６０１、７０１、８０１、９０１、１００６、１０１３）が、誘電体共振器である、請求項１ないし２２のいずれか１項に記載のアンテナ（３００、５００、６００、７００、８００、９００、１００１、１００２）。
【請求項２４】
少なくとも１つのベースプロフィールを有する、少なくとも１つの上記レンズ（３０２、４０２、５０２、６０１、７０１、８０１、９０１、１００６、１０１３）と少なくとも１つの上記接地平面（３０１、４０１、５０１、６０４、７０２、８０３、９０３、１００７、１０１４）とのうちの少なくとも１つが、実質的にスーパー形成され、スーパー形成された上記ベースプロフィールが、極関数：
【数１】
2015533046.tif 000001
によって規定され、
ρd（φ）が、ＸＹ平面に位置する曲線であり、
φ∈ [０，２π）が、角座標である、
請求項１ないし２３のいずれか１項に記載のアンテナ（３００、５００、６００、７００、８００、９００、１００１、１００２）。
【請求項２５】
上記レンズ（３０２、４０２、５０２、６０１、７０１、８０１、９０１、１００６、１０１３）および／または上記接地平面（３０１、４０１、５０１、６０４、７０２、８０３、９０３、１００７、１０１４）の３次元形状のパラメータ表現が、２つの垂直な断面ρ1（θ）およびρ2（φ）に基づいており：
【数２】
2015533046.tif 000002
であり、
ρが、請求項１に示される関数で規定され、
０≦θ≦２π、および、
−(1/2)π≦φ≦(1/2)π
である、請求項２４に記載のアンテナ（３００、５００、６００、７００、８００、９００、１００１、１００２）。
【請求項２６】
ｍ≧４である、請求項２４または２５に記載のアンテナ（３００、５００、６００、７００、８００、９００、１００１、１００２）。
【請求項２７】
ａ≠ｂである、請求項２４ないし２６のいずれか１項に記載のアンテナ（３００、５００、６００、７００、８００、９００、１００１、１００２）。
【請求項２８】
ｎx、ｎyおよびｎ0のうちの少なくとも１つの値が２から逸脱する、請求項２４ないし２７のいずれか１項に記載のアンテナ（３００、５００、６００、７００、８００、９００、１００１、１００２）。
【請求項２９】
実質的にスーパー形成された上記ベースプロフィールが、上記接地平面（３０１、４０１、５０１、６０４、７０２、８０３、９０３、１００７、１０１４）によって規定される平面に実質的に平行な方向に延びる上記レンズ（３０２、４０２、５０２、６０１、７０１、８０１、９０１、１００６、１０１３）のベースプロフィールである、請求項２４ないし２８のいずれか１項に記載のアンテナ（３００、５００、６００、７００、８００、９００、１００１、１００２）。
【請求項３０】
上記レンズ（３０２、４０２、５０２、６０１、７０１、８０１、９０１、１００６、１０１３）および／または上記接地平面（３０１、４０１、５０１、６０４、７０２、８０３、９０３、１００７、１０１４）が、実質的にプリズム形状である、請求項１ないし２９のいずれか１項に記載のアンテナ（３００、５００、６００、７００、８００、９００、１００１、１００２）。
【請求項３１】
上記接地平面（３０１、４０１、５０１、６０４、７０２、８０３、９０３、１００７、１０１４）の、上記レンズ（３０２、４０２、５０２、６０１、７０１、８０１、９０１、１００６、１０１３）のほうを向いている表面が、少なくとも部分的に、反射的である、請求項１ないし３０のいずれか１項に記載のアンテナ（３００、５００、６００、７００、８００、９００、１００１、１００２）。
【請求項３２】
上記接地平面（３０１、４０１、５０１、６０４、７０２、８０３、９０３、１００７、１０１４）が、少なくとも部分的に、導電材料から出来ている、請求項１ないし３１のいずれか１項に記載のアンテナ（３００、５００、６００、７００、８００、９００、１００１、１００２）。
【請求項３３】
上記プローブ構造体が、上記接地平面（３０１、４０１、５０１、６０４、７０２、８０３、９０３、１００７、１０１４）に接続されている、請求項１ないし３２のいずれか１項に記載のアンテナ（３００、５００、６００、７００、８００、９００、１００１、１００２）。
【請求項３４】
上記レンズ（３０２、４０２、５０２、６０１、７０１、８０１、９０１、１００６、１０１３）が、屈折率ｎを有し、ｎ≠１である、請求項１ないし３３のいずれか１項に記載のアンテナ（３００、５００、６００、７００、８００、９００、１００１、１００２）。
【請求項３５】
上記プローブ構造体が、第１の周波数帯域で通信するように構成された少なくとも１つの第１のプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）と、第２の周波数帯域で通信するように構成された少なくとも１つの第２のプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）と、を有する、請求項１ないし３４のいずれか１項に記載のアンテナ（３００、５００、６００、７００、８００、９００、１００１、１００２）。
【請求項３６】
上記プローブ構造体が、複数の第１のプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）と、複数の第２のプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）と、を有する、請求項３５に記載のアンテナ（３００、５００、６００、７００、８００、９００、１００１、１００２）。
【請求項３７】
上記プローブ構造体の双方向通信のために、放射送信モードと放射受信モードとの間で上記プローブ構造体を自動的に切り替える少なくとも１つのプロセッサ（８０７）を有する、請求項１ないし３６のいずれか１項に記載のアンテナ（３００、５００、６００、７００、８００、９００、１００１、１００２）。
【請求項３８】
上記プロセッサ（８０７）が、各周波数帯域での双方向通信のために、上記第１の周波数帯域と上記第２の周波数帯域との間で自動的に切り替えるように構成されている、請求項３５ないし３７のいずれか１項に記載のアンテナ（３００、５００、６００、７００、８００、９００、１００１、１００２）。
【請求項３９】
全てのプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）の互いの向きは、全てのプローブが少なくとも部分的に互いの電磁視界ラインの外側に配置されるような、向きになっている、請求項１ないし３８のいずれか１項に記載のアンテナ（３００、５００、６００、７００、８００、９００、１００１、１００２）。
【請求項４０】
電磁信号を送受信するアンテナシステムであって、請求項１ないし３９のいずれか１項に記載のアンテナ（３００、５００、６００、７００、８００、９００、１００１、１００２）を少なくとも１つ有する、アンテナシステム。
【請求項４１】
複数の、ＭＩＭＯ構成の、請求項３５または３６に記載のアンテナを有する、請求項４０に記載のアンテナシステム。
【請求項４２】
少なくとも２つのデュアルバンドアンテナと、２つの周波数帯域のうちの少なくとも１つを切り替える少なくとも１つのプロセッサ（８０７）とを有し、この帯域で信号の送受信の多様性を確実にする、請求項４１に記載のアンテナシステム。
【請求項４３】
請求項１ないし３９のいずれか１項に記載のアンテナを製造する方法であって、
接地平面（３０１、４０１、５０１、６０４、７０２、８０３、９０３、１００７、１０１４）、レンズ（３０２、４０２、５０２、６０１、７０１、８０１、９０１、１００６、１０１３）、およびプローブ構造体を組み立てるステップを有し、プローブ構造体は、複数のプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）を有し、少なくとも２つの上記プローブの互いの向きは、上記プローブが少なくとも部分的に互いの電磁視界ラインの外側に配置されるような、向きになっており、電磁視界ラインは、プローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）が電磁的な観点からお互いが見えないように、妨害される、方法。
【請求項４４】
接地平面（３０１、４０１、５０１、６０４、７０２、８０３、９０３、１００７、１０１４）および／またはレンズ（３０２、４０２、５０２、６０１、７０１、８０１、９０１、１００６、１０１３）が、実質的にスーパー形成された少なくとも１つのベースプロフィールを有し、スーパー形成が、極関数：
【数３】
2015533046.tif 000003
によって規定され、
ρd（φ）が、ＸＹ平面に位置する曲線であり、
φ∈ [０，２π）が、角座標である
ように、少なくとも１つの接地平面および／または少なくとも１つのレンズが設計される、請求項４３に記載の方法。
【請求項４５】
組み立てるステップ中に、複数のプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）が、上記接地平面（３０１、４０１、５０１、６０４、７０２、８０３、９０３、１００７、１０１４）および／または上記レンズ（３０２、４０２、５０２、６０１、７０１、８０１、９０１、１００６、１０１３）に接続される、請求項４３または４４に記載の方法。
【請求項４６】
少なくとも１つのプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）が、第１の周波数帯域で通信するように構成され、少なくとも１つの他のプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）が、第２の周波数帯域で通信するように構成されている、請求項４５に記載の方法。
【請求項４７】
動作中に、上記レンズ（３０２、４０２、５０２、６０１、７０１、８０１、９０１、１００６、１０１３）の異なる領域が励起されるように、異なるプローブ（３０３ａ、３０３ｂ、４０３ａ、４０３ｂ、５０３ａ、５０３ｂ、５０３ｃ、５０３ｄ、５０３ｅ、６０２、６０３、８０５ａ、８０５ｂ、１００３、１００４、１００５、１０１１、１０１２）が方向付けられている、請求項４６に記載の方法。
【請求項４８】
上記レンズ（３０２、４０２、５０２、６０１、７０１、８０１、９０１、１００６、１０１３）が、水晶、ガラス、セラミック、ポリマー、および脱塩水から成るグループから選択される誘電体から少なくとも部分的に出来ている、請求項４３ないし４７のいずれか１項に記載の方法。
【請求項４９】
ポリマーのレンズ（３０２、４０２、５０２、６０１、７０１、８０１、９０１、１００６、１０１３）が、３Ｄ印刷によって出来ている、請求項４８に記載の方法。
【請求項５０】
請求項１ないし３９のいずれか１項に記載のアンテナ（３００、５００、６００、７００、８００、９００、１００１、１００２）を用いることによる無線通信での使用方法であって、上記方法は、通信回路をアンテナネットワークに接続するステップを有し、ネットワークは、請求項１ないし３９のいずれか１項に記載のアンテナ（３００、５００、６００、７００、８００、９００、１００１、１００２）を複数個有し、各アンテナは、指定された少なくとも１つの周波数帯域の動作に最適化されている、方法。
【請求項５１】
各アンテナ（３００、５００、６００、７００、８００、９００、１００１、１００２）が、複数の周波数帯域での動作に最適化されている、請求項５０に記載の方法。
【請求項５２】
指定された複数の周波数帯域のそれぞれが、単一の周波数を有している、請求項５０または５１に記載の方法。
【請求項５３】
請求項１ないし３９のいずれか１項に記載のアンテナ（３００、５００、６００、７００、８００、９００、１００１、１００２）を少なくとも１つ有する無線通信装置のＲＦ送受信機。
【請求項５４】
請求項５３に記載のＲＦ送受信機を有する電子機器。